(57)【特許請求の範囲】
【請求項１】
時刻系変換機と連動して２４時間ごとに信号を出力する２４時間スイッチと、時刻系回路から信号を受けて２４時間ごとに信号を出力する２４時間カウンタと、通常の時計動作時にこの２４時間スイッチからの出力信号に基づいて動作する日付表示駆動用の変換機と、時刻系変換機を停止させるとともに、前記日付表示駆動用の変換機が動作する信号を、前記２４時間カウンタの出力信号に切替える制御信号を作成する制御機構と、を備えたことを特徴とするカレンダー付き電子時計。
【請求項２】
時刻系変換機と連動して２４時間ごとに信号を出力する２４時間スイッチと、時刻系回路から信号を受けて２４時間ごとに信号を出力する２４時間カウンタと、通常の時計動作時にこの前記２４時間スイッチからの出力信号に基づいて動作する日付表示駆動用の変換機と、２４時間スイッチが時刻系変換機からは駆動されないが、リューズの回転によって２４時間スイッチが駆動されて出力信号を出す場合において、日付表示駆動用の変換機が動作する信号として、該２４時間スイッチからの出力信号と、２４時間カウンタの出力信号とを、制御回路に与える制御信号を作成する制御機構と、を備えたことを特徴とするカレンダー付き電子時計。
【請求項３】
前記制御機構は、リューズ位置に基づき前記制御信号を作成することを特徴とする請求項１又は２記載のカレンダー付き電子時計。
【請求項４】
前記制御機構は、時計の外部に設けたスイッチに基づき前記制御信号を作成することを特徴とする請求項１又は２記載のカレンダー付き電子時計。
【請求項５】
前記制御機構は、電圧検出信号に基づき前記制御信号を作成することを特徴とする請求項１又は２記載のカレンダー付き電子時計。
【請求項６】
前記２４時間カウンタが、前記制御機構の前記制御信号を受けて、動作を開始することを特徴とする請求項１、２、３、４又は５記載のカレンダー付き電子時計。
【請求項７】
前記２４時間カウンタが、通常の時計動作時に時刻系回路と連動していることを特徴とする請求項１又は２記載のカレンダー付き電子時計。
【請求項８】
時計輪列の分針固定車と時針固定車との間のスリップ機構と、前記リューズの回転動作を規制する規制手段とを設けたことを特徴とする請求項３記載のカレンダー付き電子時計。
【請求項９】
前記２４時間カウンタが、２４時間スイッチが入るごとにリセットされることを特徴とする請求項１、２又は７記載のカレンダー付き電子時計。
【発明の詳細な説明】
【０００１】
【発明の属する技術分野】
本発明は、日付表示を有するカレンダー付き電子時計に関するものである。
【０００２】
【従来の技術】
従来の日付表示を有するカレンダー付きアナログ電子時計においては、リューズを引き出して、時分針を停止させると、カレンダーも停止する構造とされている。
【０００３】
【発明が解決しようとする課題】
従って、節電等の目的で時分針停止のまま長時間放置すると、時計を再起動する場合、カレンダー、特に日付を合わせるのに、手間が掛かる。また、月末無修正機能を備えたアナログ時計には、閏年の２月のたびに使用者が修正するタイプと、何年間に渡り、月末に日付を自動的に判定して送るタイプとがあるが、一般に年と月の外観表示を備えておらず、長期間の停止によって、月又は年と月とが分からなくなり、日付を適切な月又は年と月とに合わせることが不可能となる。
【０００４】
そこで、本発明は、時分針を停止し放置した後も日付を合わせる手間が省け、また、月又は年と月とを判別して合わせ込む必要のない、カレンダー付電子時計を提供することを目的とする。
【０００５】
【課題を解決するための手段】
上記目的を達成するために、本発明では、時刻系変換機と連動して２４時間ごとに信号を出力する２４時間スイッチと、時刻系回路から信号を受けて２４時間ごとに信号を出力する２４時間カウンタと、通常の時計動作時にこの２４時間スイッチからの出力信号に基づいて動作する日付表示駆動用の変換機と、時刻系変換機を停止させるとともに、前記日付表示駆動用の変換機が動作する信号を、前記２４時間カウンタの出力信号に切替える制御信号を作成する制御機構とを備えたカレンダー付き電子時計として、時分針停止後も２４時間カウンタにより、カレンダーを送って、日付更新を行わせ、時計再起動の際のカレンダー合わせの手間を少なくした。すなわち、時計の使用者は、時分針のみ、時には、時分針と日付１日分の合わせ込み修正を行えばよいことになる。さらに、何年間かにわたり、２月及び閏年の２月を含めて月末に日付を自動的に判定して送るタイプの年と月表示のないアナログ時計では、放置によって、年及び月の判別が困難となるのが、この判別を不要とできる。
【０００６】
また、時刻系変換機と連動して２４時間ごとに信号を出力する２４時間スイッチと、時刻系回路から信号を受けて２４時間ごとに信号を出力する２４時間カウンタと、通常の時計動作時にこの前記２４時間スイッチからの出力信号に基づいて動作する日付表示駆動用の変換機と、２４時間スイッチが時刻系変換機からは駆動されないが、リューズの回転によって２４時間スイッチが駆動されて出力信号を出す場合において、日付表示駆動用の変換機が動作する信号として、該２４時間スイッチからの出力信号と、２４時間カウンタの出力信号とを、制御回路に与える制御信号を作成する制御機構とを備えたカレンダー付き電子時計としても同様の作用が得られる。
【０００７】
また、前記制御機構が、リューズ位置に基づき前記切替える制御信号を作成することとすれば、リューズが時分針を停止させる位置等を用いて、制御機構を制御することができる。
【０００８】
また、前記制御機構が、時計の外部に設けたスイッチに基づき前記切り替える制御信号を作成することとすれば、２４時間カウンタへの切り替えが自由であるため、全面的に時計を停止するか、カレンダーのみ動かすかの選択が可能である。
【０００９】
また、前記制御機構が、電圧検出信号に基づき前記制御信号を作成するものとすれば、電池が残り少なくなった場合に、放置された時計の節電を図り、カレンダー送りの維持を長期間に渡って可能とできる。
【００１０】
また、前記２４時間カウンタが、前記制御機構の前記制御信号を受けて、動作を開始するものとすれば、２４時間カウンタによる電力消費を減ずることができる。
【００１１】
また、前記２４時間カウンタが、通常の時計動作時に時刻系回路と連動するものとすれば、通常の時刻系回路とのペースを合わせることができ、時刻に合った時間に、日付が変わる状態を保つことができる。
【００１２】
さらに、時計輪列の分針固定車と時針固定車との間のスリップ機構と、前記リューズの回転動作を規制する規制手段とを設けるものとすれば、２４時間カウンタに切り替え後、スリップ機構のスリップトルクの強さによってはリューズを回転させてしまうと共に、２４時間スイッチを動作してしまい、日付が変わってしまう誤操作を、防止できる。
【００１３】
また、前記２４時間カウンタが、２４時間スイッチが入るごとにリセットされるものとして、２４時間カウンタのペースを時分針のペースと合わせておくことができる。
【００１４】
【発明の実施の形態】
以下、本発明の実施の形態について、図面に基づいて説明する。
【００１５】
図１は、本発明に係るカレンダー付き電子時計の回路構成を示すブロック図である。
【００１６】
図１において、水晶振動子を発振させる発振回路２の信号は、分周回路３で１Ｈzまで分周され、波形整形回路（１）４で波形整形され、ステップモータ等の変換機（１）６を駆動する駆動回路（１）５へ送られる。発振回路２、分周回路３及び波形整形回路（１）４を時刻系回路６０という。駆動回路（１）５の信号は、変換機（１）６を１秒ごとに駆動する。変換機（１）６からの回転力は、指針輪列７に伝達され、秒針、分針、時針を回転させる。さらに、２４時間に一回転するスイッチ車１１を回転し、２４時間スイッチ１２を２４時間ごとにＯＮとする。この２４時間カウンタ１５は、分周回路３からの信号に基づき、２４時間をカウントし、２４時間に一回信号を出力する。
【００１７】
この２４時間スイッチ１２からの日板を駆動するための信号である（日板駆動信号）２４ＳＷは、２４時間カウンタ１５からの信号と２４時間スイッチ１２からのこの信号２４ＳＷを切り替えるセレクタ１４を通して、制御回路２０に入力される。
【００１８】
制御回路２０は、信号２４ＳＷを受けて、日板を駆動するための指令信号（日板駆動信号）ＢＭＣを波形整形回路（２）１３へ送り、波形整形回路（２）１３は分周回路３からの信号を整形して、ステップモータ等の日板表示駆動用の変換機（２）５１を駆動するための駆動信号ＭＯＴＢを駆動回路（２）５０へ送り、駆動回路（２）５０は、変換機（２）５１を駆動し、変換機（２）５１は、日輪列５２を駆動する。この日輪列５２によって、日板が駆動される。
【００１９】
制御機構１３３は、ここでは、スイッチＳＷ（１）からなっている。１３３ａはスイッチ用の抵抗である。このＳＷ（１）が入ることによって制御信号ＣＳが発生し、この信号ＣＳは、駆動回路（１）５に入って、時刻系変換機である変換機（１）６を停止させるとともに、２４時間カウンタ１５に入って、これを始動する。前述のように、２４時間カウンタ１５は、分周回路３からの信号をカウントして２４時間に一回信号２４ＣＷを出力する回路であるが、この実施の形態では、このＳＷ（１）がＯＮされると、制御信号ＣＳを受けてカウントを開始する。また制御信号ＣＳは、セレクタ１４を作動して、２４時間スイッチからの信号２４ＳＷを２４時間カウンタからの信号２４ＣＷへ切り替える。これによって、制御回路２０は、前述のように、日板駆動信号ＢＭＣを与え、時刻系変換機が停止後も、２４時間ごとに日輪列５２を駆動する。
【００２０】
図１における制御機構であるスイッチ１３３は、単なるスイッチとして示したが、これは、時計のリューズ位置と連動させたスイッチとすることができる。また、時計外部から操作可能な特別のスイッチとすることもできる。
【００２１】
図２は、本発明における別の実施の形態を示す。図１に対応する回路構成のブロック図である。図２において、図１と対応する構成要素には同符号を付している。図２においては、電圧検出回路１３４の検出信号ＢＤを制御信号ＣＳとして用いる。２４時間スイッチ１２からの日板駆動信号２４ＳＷは、図１で説明したようにセレクタ１４を通して、制御回路に与えられ、通常の運針時には、このルートによって、図１で説明したと同様、日輪列５２が駆動される。ここでの２４時間カウンタ１６は、通常運針時、分周回路３からの信号をカウントし、動作を続けている。日板駆動信号２４ＳＷは、２４時間カウンタ１６にも加えられ、その都度、２４時間カウンタ１６をリセットし、時刻系輪列（指針輪列）７のペースと、２４時間カウンタ１６のペースとを合わせている。
【００２２】
電圧検出回路１３４で、電圧が低下したとの判定をすると検出信号ＢＤを出力する。これは、上述のように、制御信号ＣＳとして働き、駆動回路（１）５を停止させ、セレクタ１４により、日付表示駆動用の変換機（２）５１の駆動を開始する信号を、２４時間カウンタ１５からの信号２４ＣＷに切り替える。ここでは、電圧検出回路１３４が制御機構として働き、節電を行うとともに、カレンダー送りを長期間にわたって維持する。
【００２３】
図３は、さらに、本発明に係る他の実施の形態を示す図１に対応する回路構成のブロック図である。図１の構成要素と同じ要素には同符号が付されている。
【００２４】
ここでの２４時間カウンタ１６も、通常運針時に、分周回路３からの信号をカウントして動作を続行しており、２４時間スイッチ１２からの日板駆動信号２４ＳＷによって、それが入るたびに、リセットされる。制御機構であるスイッチＳＷ（２）１３５は、制御信号ＣＳを、駆動回路（１）５へ与えてこれを停止するとともに、セレクタ１４により、日板駆動信号２４ＳＷを２４時間カウンタ１６からの信号２４ＣＷに切り換えて制御回路２０に与える。こうして、２４時間カウンタ１６のペースを時刻系の指針輪列とあわせることができるとともに、指針輪列７停止後は、カレンダーのみを２４時間カウンタで送り、カレンダー送りのペースを維持することができる。
【００２５】
図４は、さらに、本発明に係る他の実施の形態を示す図１及び図３に対応する回路構成のブロック図である。同様な構成要素については図１及び図３と同じ符号を付している。ここでの特徴は、制御機構１３６が、２つのスイッチＳＷ（２）とＳＷ（３）とから成っていること、並びに、セレクタ１４ａが信号２４ＳＷのみを通過させる状態から、信号２４ＳＷと信号２４ＣＷとを共に通過させる状態に切り替えられることである。この実施の形態に対応する電子時計の具体的な構造については後述するが、リューズが２段引きされた針修正のためのリューズ２段位置で、ＳＷ（２）がＯＮとされる（このときＳＷ（３）は、ＯＦＦである。）。また、リューズが１段引きされた時差修正又はカレンダー修正のリューズ１段位置では、ＳＷ（３）がＯＮとされる（このときＳＷ（２）はＯＦＦである。）。
【００２６】
２４時間カウンタ１６は、通常、常に分周回路３からの信号をカウントしており、２４時間スイッチ１２からの日板駆動信号２４ＳＷによってリセットされる。信号２４ＳＷは、セレクタ１４を通して、制御回路２０へ通常運針時には（リューズ０段位置では）与えられ、図１、図３で前述したように、制御回路２０は、日板駆動信号ＢＭＣを出力して、日輪列５２を駆動する。
【００２７】
リューズ１段位置では、スイッチＳＷ（３）がＯＮとされると、制御信号ＣＳ（３）がセレクタ１４ａに入り、セレクタ１４ａは、２４時間カウンタ１６からの信号２４ＣＷの信号とともに２４時間スイッチ１２からの信号２４ＳＷをも通過させて制御回路２０に与える。この時差修正のための１段位置では、時刻系変換機（１）６も通常のペースで動作させておくことが必要であるからである。
【００２８】
リューズ２段位置では、スイッチＳＷ（２）がＯＮとなると制御信号ＣＳ（２）が、駆動回路（１）５を停止し、セレクタ１４ａが、２４時間カウンタ１６からの信号２４ＣＷを制御回路２０へ与える。この場合においても、セレクタ１４ａは、信号２４ＳＷと信号２４ＣＷとを通過可能である。ここで、リューズを２段位置で停止し、放置した場合は、誤って２４時間スイッチが入ってしまう可能性は極めて少ない。しかし、リューズを１段位置の時差修正位置に放置した場合は、時刻系変換機（１）６も通常のペースで動作を続けているため、時差修正の１段位置で、リューズの回転を阻止しておくことが、その後の誤操作をなくすために重要である。
【００２９】
この具体的実施の形態につき、以下に説明する。
【００３０】
図５及び図７は、この具体的実施の形態を示すものである。
【００３１】
まず、この実施の形態を具体化した時計における時輪列、指針修正輪列、時差修正輪列、スイッチ車１１の係合及び配置関係について説明する。図５は、時計の上面側（裏蓋側）から観たムーブメントの部分配置関係図である。図６は、図５の巻真２０１から、時修正伝エ車（１）２０５、時修正伝エ車（２）２０６、時修正伝エ車（３）２０７、スイッチ中間車２０８、筒車２０９等の時差修正輪列及び日ノ裏車２１７に添った断面図である。この図６は、スイッチ中間車２０８を重ね合わせることによって繋がるよう便宜上（ａ）と（ｂ）とは分割されている。
【００３２】
地板２００には、巻真２０１、オシドリ２０２、カンヌキ２０３を含む制御機構（裏回り機構）１３５が、載置されている（図６では、この部分は省略している）。この制御機構１３５が巻真２０１及びこれに固定されるリューズの位置を決める。図５では、リューズの位置は、通常の時計動作状態にある、０段位置である。
【００３３】
巻真２０１には、ツヅミ車２０４と時修正伝エ車（１）２０５とが嵌合されており、巻真２０１（リューズ）の０段位置では、巻真２０１（リューズ）の回転は、どの歯車にも伝達されない。
【００３４】
巻真２０１が１段引きされた１段位置は時差修正とカレンダー修正とが行われる位置である。図６はこの位置にある場合を示している。この位置に巻真２０１がある場合、巻真２０１の回転は、ツヅミ車２０４を介して、巻真２０１に回転及びスライド可能に保持されている時修正伝エ車（１）２０５、これと噛合する時修正伝エ車（２）２０６、さらに時修正伝エ車（３）２０７、これと噛合する、スイッチ中間車２０８へと伝達される。これらの車は、地板２００又は中受１５２と日板押エ１５１との間に支持されている。
【００３５】
スイッチ中間車２０８は、その歯車部が、時針１０と固定される上筒歯車（時針固定車）２０９ａと上筒歯車とスリップ結合された下筒歯車２０９ｂとを有する筒車２０９の上筒歯車２０９ａと噛合し、そのカナ部が、２４時間スイッチ１２を構成するスイッチ車１１と噛合している。このため、巻真２０１（リューズ）の１段位置では、巻真２０１（リューズ）を回転することにより、時針が回転されるとともに、２４時間スイッチ１２が駆動される。なお、筒車２０９の上筒歯車２０９ａと下筒歯車２０９ｂとは、上筒歯車２０９ａに固定された筒車カナ２０９ｃと下筒歯車２０９ｂに一体で形成された筒車カナ躍制バネ２０９ｄとによりスリップ可能に結合されている。この筒車２０９は、地板２００に固定された筒座２１９に保持されている。
【００３６】
このため、巻真の１段位置における筒車からの回転は、後述する日ノ裏車２１７へは伝達されない。なお、日ノ裏車は、中受１５２と地板２００との間に支持されている。
【００３７】
スイッチ車１１上には、スイッチバネ１１ａが載置されており、スイッチ車１１とともに回転して、セレクタ１４ａに繋がる３つのスイッチ端子２０ａ、２０ｂ、２０ｃと接触して、２４時間スイッチ信号２４ＳＷを出力する。
【００３８】
巻真２０１（リューズ）が、２段引き出された２段位置は、針合わせが行われる位置である。この２段位置に巻真２０１がある場合、巻真２０１の角部に係合しているツヅミ車２０４は小鉄車２１５に噛合し、巻真２０１の回転は、日ノ裏中間車２１６、日ノ裏車２１７、さらに、日ノ裏車２１７の歯車部と噛合する分針が固定される筒カナ（分針固定車）７ｆへと、また、日ノ裏車２１７のカナ部と噛合する下筒歯車２０９ｂへと回転が伝えられる。この場合、スリップすることなく、上筒歯車２０９ａと噛合するスイッチ中間車２０８、スイッチ車１１へと回転が伝えられる。これは、前記の下筒歯車２０９ｂと上筒歯車２０９ａのスリップ結合力がスイッチ中間車２０８を回転される回転力よりも大きく設定されているからである。こうして、巻真２０１の２段位置（針合わせ位置）では、スイッチ車１１も連動するが、セレクタ１４ａによって２４時間スイッチ１２の信号２４ＳＷは働かない。
【００３９】
日板７０は、図５では外周を点線で示しているが、内周の日歯車７０ａは実線で示している。
【００４０】
なお、図６において、７ｄは、秒針が固定される四番車、７ｅは二番車、７ｆは筒カナであるが、これらの輪列は、地板２００と輪列受１５０、中受１５２により保持されている。２１１はスペーサ、２１２は回路支持板、２１８は裏板である。
【００４１】
次に、巻真２０１（リューズ）を例えば巻真２０１が１段引き出された前述の時差修正とカレンダー修正とが行われる位置に、置いた時期には、日付の更新が、２４時間カウンタによることとなる。
【００４２】
しかし、筒車の下筒歯車に形成した筒車カナ躍制バネと筒車カナのスリップ結合力が強い場合には、時差修正輪列を介してリューズ（図５及び図６には図示していないが、リューズには防水用リングが取り付けられていて、ケースと密着している）も回転し、さらに、スイッチ車をも回転させる状態が考えられる。そこで、この時期における巻真２０１の回転防止機構につき説明する。
【００４３】
図７は、巻真２０１を通常の時計運転状態である０段位置においた場合を示す巻真２０１付近の本発明に係る時計の断面図である。図７の（ｂ）は、図７の（ａ）のＤ−Ｄ線に添った断面図である。
【００４４】
図７の（ａ）と（ｂ）とにおいて、巻真２０１は、地板２００とプラスチック製の巻真スペーサ２２０とに、挟持されて回転可能である。巻真には、オシドリ２０２が、小径段に係合して、その巻真の０段、１段及び２段の各引出し位置を決める。また、巻真には、その先端側の丸軸に、時修正伝エ車（１）２０５が、先端の角部にツヅミ車２０４が嵌合している。
【００４５】
これらの車は、ツヅミ車受座２２１に収納されるように配置されている。ツヅミ車２０４には、カンヌキ２０３がその小径段部に係合して、巻真の引出し位置とカンヌキ２０３及びオシドリ２０２の作用により連動し、ツヅミ車２０４は、巻真の０段位置（図７の（ａ）の位置）では、いずれの車とも噛合していない。巻真の１段位置では、ツヅミ車２０４は時修正伝エ車（１）２０５と係合し（図６の（ｂ）参照）時差修正とカレンダー修正が可能となる。
【００４６】
巻真の２段位置では、ツヅミ車２０４は、小鉄車２１５と噛合し、針合わせ修正を行える。
【００４７】
巻真２０１は、その中央部２０１ａが、巻真スペーサ２２０に抱き込まれるように保持されており、この中央部２０１ａに対向して巻真スペーサ２２０には、台形状の突起２２０ａが突設されている。この突起２２０ａによって、巻真２０１の中央部２０１ａは、巻真スペーサ２２０のわずかな弾性も手伝って、締り気味に保持されて巻真（リューズ）の回転動作は規制される。ここでは、巻真の中央部２０１ａ、巻真スペーサ２２０の突起２２０ａが、規制手段を構成している。
【００４８】
上記の図７は、巻真の０段位置の状態を示しているが、巻真の一段位置でも巻真の中央部２０１ａは、巻真スペーサ２２０の突起２２０ａと当接しており、同様なリューズの回転動作の規制が働いている。
【００４９】
なお、２２２は回転基板、２１２は回路支持板であり、その他は図６で前述した要素であり、図６と同じ番号を付している。
【００５０】
【発明の効果】
以上のように、本発明によれば、時刻系変換機が停止後も、時刻系回路からの信号を受けて動作を続ける２４時間カウンタからの信号により、カレンダーを送り続けることができるため、時計再起動の際のカレンダー合わせの手間を少なくした。時計の使用者は、時分針のみの、時には、時分針と日付１日分の合わせ込み修正を行えばよいことになる。
【００５１】
さらに、本発明を、万年カレンダーを有しながら年と月の表示を持たないタイプのアナログ時計に用いる場合には、困難な年及び月の判別を不要とできるため特に効果は大きい。
【図面の簡単な説明】
【図１】  本発明に係るカレンダー付き電子時計の回路構成を示すブロック図である。
【図２】  本発明に係る別の実施の形態を示すカレンダー付き電子時計の回路構成のブロック図である。
【図３】  本発明に係るさらに別の実施の形態を示すカレンダー付き電子時計の回路構成のブロック図である。
【図４】  本発明に係るさらに別の実施の形態を示すカレンダー付き電子時計の回路構成のブロック図である。
【図５】  図４の実施の形態を具体化した電子時計の上面側から観たムーブメントの部分配置関係図である。
【図６】  図５の時差修正輪列に添った断面図である。（ａ）と（ｂ）とに便宜上分割した。
【図７】  図５に示した具体的実施の形態における巻真付近の断面図である。（ｂ）は（ａ）のＤ−Ｄ線断面図である。
【符号の説明】
２  発振回路、３  分周回路、４  波形整形回路（１）、５  駆動回路（１）、６  変換機（１）、７  指針輪列、１１  スイッチ車、１２  ２４時間スイッチ、１４，１４ａ  セレクタ、１５，１６  ２４時間カウンタ、２０  制御回路、５０  駆動回路（２）、５１  変換機（２）、５２  日輪列（日送り機構）、６０  時刻系回路、１３３，１３５，１３６  制御機構、１３４  電圧検出回路、２０１  巻真、２０１ａ  中央部、２２０  巻真スペーサ、２２０ａ  突起、２４ＳＷ  日板駆動信号、２４ＣＷ  ２４時間カウンタからの信号、ＣＳ，ＣＳ（２），ＣＳ（３）  制御信号、ＳＷ（１），ＳＷ（２），ＳＷ（３）  スイッチ。
【図１】
0003763050.tif 000002
【図２】
0003763050.tif 000003
【図３】
0003763050.tif 000004
【図４】
0003763050.tif 000005
【図５】
0003763050.tif 000006
【図６】
0003763050.tif 000007
【図７】
0003763050.tif 000008